(57)【特許請求の範囲】
【請求項１】
発光型表示器と、周囲の照度を検出し前記照度に応じて第一の調光データを出力する照度検出手段と、第一，第二及び第三の調光データに基づいて第四の調光データを算出し前記第四の調光データに基づいた輝度データに応じて前記発光型表示器の輝度を調整する制御手段と、を有する表示装置であって、
前記第三の調光データを出力する手動調整手段を設けると共に、
前記制御手段は、前記第二の調光データの前回値を記憶するメモリ部を有し、前記前回値と前記第一の調光データとの大小関係に基づいて、前記制御手段が前記照度検出手段から前記第一の調光データを入力する所定周期よりも長い所定時間毎に前記第二の調光データを算出し、前記第二の調光データと前記第三の調光データとを加算した前記第四の調光データに基づいた前記輝度データに応じて前記発光型表示器の輝度を調整することを特徴とする表示装置。
【請求項２】
発光型表示器と、周囲の照度を検出し前記照度に応じて第一の調光データを出力する照度検出手段と、第一，第二及び第三の調光データに基づいて第四の調光データを算出し前記第四の調光データに基づいた輝度データに応じて前記発光型表示器の輝度を調整する制御手段と、を有する表示装置であって、
前記第三の調光データを出力する手動調整手段を設けると共に、
前記制御手段は、前記第二の調光データの前回値を記憶するメモリ部を有し、前記前回値と前記第一の調光データとの大小関係に基づいて前記前回値に所定値を加算または減算することにより、前記制御手段が前記照度検出手段から前記第一の調光データを入力する所定周期よりも長い所定時間毎に前記第二の調光データを算出し、前記第二の調光データと前記第三の調光データとを加算した前記第四の調光データに基づいた前記輝度データに応じて前記発光型表示器の輝度を調整することを特徴とする表示装置。
【請求項３】
前記制御手段は前記輝度データと前記輝度データの前回値との差を等分割した値毎に前記発光型表示器の輝度を増加または減少させることを特徴とする請求項１または請求項２に記載の表示装置。
【発明の詳細な説明】
【０００１】
【発明の属する技術分野】
本発明は、表示装置に関するものであり、発光型表示器の輝度を調整する表示装置に関するものである。
【０００２】
【従来の技術】
従来より、蛍光表示管等の発光型表示器の輝度を周囲の照度に応じて調整する表示装置がある（図８参照）。蛍光表示管１の輝度は照度検出手段２から出力された調光データＸに基づいてマイコン３により調整される。照度検出手段２は光センサ４とＡ／Ｄ変換器５からなるものであり、Ａ／Ｄ変換器５は光センサ４から出力される照度信号Ａを調光データＸに変換する。
マイコン３はＣＰＵ６，ＲＡＭ７及びＲＯＭ８を有するものであり、輝度データＣを駆動回路９に出力し蛍光表示管１の輝度を調整する。ＲＯＭ８は調光データＸに対応する輝度データＣが記憶されたルックアップテーブルを有しており（図９参照）、マイコン３は照度検出手段２から入力した調光データＸに基づいて輝度データＣを出力する。
【０００３】
【発明が解決しようとする課題】
上記表示装置は、周囲の照度に応じて蛍光表示管１の輝度を自動的に調整できるという利点を有している。例えば周囲が暗くなった場合は、自動的に蛍光表示管１の輝度を減少させ、観察者が眩しく感じることを防止できる。しかしながら、周囲の照度が頻繁に変動した場合、チラツキ（蛍光表示管１の輝度が頻繁に変動する現象）が生じる虞があった。即ち、図１０に示すように、マイコン３は所定周期（例えば０．０１秒）で調光データＸの入力から輝度データＣの出力までの処理を行うため、周囲の照度の変動に従って蛍光表示管１の輝度も前記所定周期で変動してしまい、観察者が煩わしく感じるという問題を有していた。本発明は、上記問題に鑑みなされたものであり、チラツキを低減できる表示装置を提供するものである。
【０００４】
【課題を解決するための手段】
本発明は、前記課題を解決するため、発光型表示器１５と、周囲の照度を検出し前記照度に応じて第一の調光データＸを出力する照度検出手段２８と、第一，第二及び第三の調光データに基づいて第四の調光データＺを算出し前記第四の調光データＺに基づいた輝度データＣに応じて前記発光型表示器１５の輝度を調整する制御手段３０と、を有する表示装置であって、前記第三の調光データＹを出力する手動調整手段３１を設けると共に、前記制御手段３０は、前記第二の調光データｘの前回値ｘ’を記憶するメモリ部３５を有し、前記前回値ｘ’と前記第一の調光データＸとの大小関係に基づいて、前記制御手段３０が前記照度検出手段２８から前記第一の調光データＸを入力する所定周期よりも長い所定時間Ｔ毎に前記第二の調光データｘを算出し、前記第二の調光データｘと前記第三の調光データＹとを加算した前記第四の調光データＺに基づいた前記輝度データＣに応じて前記発光型表示器１５の輝度を調整するものである。
【０００５】
また、本発明は、発光型表示器１５と、周囲の照度を検出し前記照度に応じて第一の調光データＸを出力する照度検出手段２８と、第一，第二及び第三の調光データに基づいて第四の調光データＺを算出し前記第四の調光データＺに基づいた輝度データＣに応じて前記発光型表示器１５の輝度を調整する制御手段３０と、を有する表示装置であって、前記第三の調光データＹを出力する手動調整手段３１を設けると共に、前記制御手段３０は、前記第二の調光データｘの前回値ｘ’を記憶するメモリ部３５を有し、前記前回値ｘ’と前記第一の調光データＸとの大小関係に基づいて前記前回値ｘ’に所定値を加算または減算することにより、前記制御手段３０が前記照度検出手段２８から前記第一の調光データＸを入力する所定周期よりも長い所定時間Ｔ毎に前記第二の調光データｘを算出し、前記第二の調光データｘと前記第三の調光データＹとを加算した前記第四の調光データＺに基づいた前記輝度データＣに応じて前記発光型表示器１５の輝度を調整するものである。
【０００６】
また、本発明は、前記制御手段３０は前記輝度データＣと前記輝度データＣの前回値Ｃ’との差を等分割した値毎に前記発光型表示器の輝度を増加または減少させるものである。
【０００７】
【発明の実施の形態】
表示装置は、発光型表示器１５と、表示装置の周囲の照度を検出する照度検出手段２８と、発光型表示器１５の輝度を調整する制御手段３０とを有している。照度検出手段２８は、周囲の照度に応じて第一の調光データＸを出力する。制御手段３０は輝度データＣが記憶された第一のメモリ部３６を有しており、第二の調光データｘを算出しこの第二の調光データｘに基づいて輝度データＣを出力する。
制御手段３０は、第二の調光データｘの前回値ｘ’を一時的に記憶する第二のメモリ部３５を有している。制御手段３０は、第一の調光データＸが前回値ｘ’よりも大であったときは前回値ｘ’に所定値を加算し、第一の調光データＸが前回値ｘ’よりも小であったときは前回値ｘ’から所定値を減算することにより、第二の調光データｘを算出する。
【０００８】
手動調整手段３１から第三の調光データＹを入力し、第二の調光データｘ及び第三の調光データＹに基づいて輝度データＣを出力するようにしても良く、使用者の好みによって発光型表示器１５の輝度を調整することができる。
【０００９】
輝度データＣと輝度データＣの前回値Ｃ’との差を等分割した値毎に段階的に輝度を増加または減少するようにしても良く、発光型表示器の輝度を緩やかに変動させることができる。
【００１０】
【実施例】
以下、本発明を車両用ヘッドアップディスプレイに適用した一実施例を説明する。
【００１１】
１０は表示ユニットであり、この表示ユニット１０は車両のダッシュボード１１内に配設されている（図２参照）。表示ユニット１０が投射する表示光Ｌはフロントガラス１２により観察者１３の方向に反射される。観察者１３は虚像１４を風景と重畳させて観察することができる。
【００１２】
図３は表示ユニット１０の断面図である。１５は蛍光表示管（発光型表示器）であり、この蛍光表示管１５は表示面１６を有しており表示光Ｌを発する。１７は回路基板であり、この回路基板１７は蛍光表示管１５と接続されている。後述するマイコンは回路基板１７に搭載されている。回路基板１７は表示面１６に対応する個所に開口部１８を有している。１９は放熱部材であり、この放熱部材１９は多数の放熱フィン２０を有している。放熱部材１９は蛍光表示管１５の裏面にシリコーン系接着剤で接着されている。
【００１３】
２１はハウジングであり、このハウジング２１には蛍光表示管１５，回路基板１７等が収容される。ハウジング２１には表示光Ｌが出射する開口部２２が設けられており、この開口部２２には透光性樹脂（例えばアクリル）からなる透光性カバー２３が配設されている。２４は反射鏡であり、この反射鏡２４は表示光Ｌを開口部２２の方向に反射させる。２５は遮光壁であり、この遮光壁２５はハウジング２１と一体に形成されており、太陽光等の外光が蛍光表示管１５に入射し虚像１４が見えにくくなること（ウォッシュアウト）を防止している。遮光壁２５には後述する光センサに対向する個所に形成された貫通孔２６が設けられている。２７は光センサであり、この光センサ２７は透光性カバー２３を透過し貫通孔２６を通過した光を検出する。光センサ２７は遮光壁２５の後方に配設されており、回路基板１７と接続されている。
【００１４】
次に、図１に示すブロック図に基づいて、蛍光表示管１５の輝度の調整について説明する。２８は照度検出手段であり、この照度検出手段２８は光センサ２７とＡ／Ｄ変換器２９とからなるものである。Ａ／Ｄ変換器２９は光センサ２７から出力された照度信号Ａを調光データＸ（第一の調光データ）に変換し、この調光データＸをマイコン３０に出力する。調光データＸは整数であり、照度信号Ａのレベルに対応している（図４参照）。
３１は手動調整手段であり、この手動調整手段３１はボリュームスイッチ３２（以下、スイッチと記す）とＡ／Ｄ変換器３３とからなるものである。Ａ／Ｄ変換器３３はスイッチ３２から出力された調整信号Ｂを調光データＹ（第三の調光データ）に変換し、この調光データＹをマイコン３０に出力する。調光データＹは整数であり、調整信号Ｂのレベルに対応している（図５参照）。
【００１５】
マイコン３０はＣＰＵ３４，ＲＡＭ３５（メモリ部）及びＲＯＭ３６を有するものであり、ＲＯＭ３６には調光データＺに対応する輝度データＣが記憶されている（図６参照）。後述するように、調光データＺは調光データｘ（第二の調光データ）及び調光データＹに基づいて算出されたものである。マイコン３０は輝度データＣを駆動回路３７に出力し蛍光表示管１５の輝度を調整する。
【００１６】
次に、図７に示すフローチャートに基づいて、調光データＺの算出について詳述する。まず、ステップＳ１において調光データＸを入力する。次に、ステップＳ２において調光データＹを入力する。
次に、ステップＳ３において、調光データＸを調光データｘの前回値ｘ’と比較する。前回値ｘ’はＲＡＭ３５から読込まれたものである。調光データＸが前回値ｘ’よりも小さい場合は、ステップＳ４に進む。調光データＸが前回値ｘ’よりも大きい場合は、ステップＳ６に進む。調光データＸが前回値ｘ’と等しい場合は、ステップＳ８に進む。
【００１７】
ステップ４において、タイムデータｔが所定時間Ｔ（例えば０．３秒）を超えていない場合は、ステップＳ８に進む。タイムデータｔが所定時間Ｔを超えている場合は、ステップＳ５に進む。ステップＳ５において前回値ｘ’から「１」を減算し調光データｘを算出し、ステップＳ８に進む。
ステップＳ６において、タイムデータｔが所定時間Ｔを超えていない場合は、ステップＳ８に進む。タイムデータｔが所定時間Ｔを超えている場合は、ステップＳ７に進む。ステップＳ７において、前回値ｘ’に「１」を加算し調光データｘを算出し、ステップＳ８に進む。
ステップＳ５またはステップＳ７が終了すると、調光データｘはＲＡＭ３５に一時的に記憶され、タイムデータｔはリセットされる。
【００１８】
ステップＳ８において、調光データｘと調光データＹとを加算し、調光データＺ（第四の調光データ）を算出する。次に、ステップ９において輝度データＣを出力する。ステップ９が終了するとステップ１に戻り、ステップ１からステップ９の処理が所定周期（例えば、０．０１秒）で繰返される。
【００１９】
以上述べた実施例によれば、ステップＳ３，Ｓ４，Ｓ５（またはステップＳ３，Ｓ６，Ｓ７）において、タイムデータｔが所定時間Ｔを超えている場合にのみ、調光データｘの前回値ｘ’と調光データＸとの大小関係に基づいて前回値ｘ’に「１」を加算または減算し調光データｘを算出することにより、調光データＸが頻繁に変動しても、所定時間Ｔでは調光データｘは「１」だけ変化する。従って、周囲の照度が頻繁に変動しても調光データｘが頻繁に変動することがなく、蛍光表示管１５のチラツキが少ない。且つ、ステップ８において、調光データＹは所定周期で調光データｘに加算されているため、スイッチ３２の操作に対する輝度データＣの応答性が損なわれることがない。
【００２０】
なお、輝度データＣの前回値Ｃ’をＲＡＭに記憶しておき、輝度データＣと輝度データＣの前回値Ｃ’との差を等分割した値毎に段階的に輝度を増加または減少するようにしても良く、発光型表示器の輝度を緩やかに変動させることができる。
【００２１】
また、本実施例は、ステップＳ５（またはステップＳ７）において、前回値ｘ’から「１」を減算（または、前回値ｘ’に「１」を加算）するものであったが、例えば前回値ｘ’に「０．９」を乗算（または除算）した積（または商）を整数化し調光データｘを算出しても良い。
【００２２】
また、手動調整手段３１はなくとも良いが、本実施例のように手動調整手段３１を設けることにより、使用者の好みにより蛍光表示管１５の輝度を調整することができる。また、発光型表示器は蛍光表示管１５であったが、例えばバックライトを備えた液晶表示器であっても良い。
【００２３】
【発明の効果】
本発明は、発光型表示器１５と、周囲の照度を検出し前記照度に応じて第一の調光データＸを出力する照度検出手段２８と、第一，第二及び第三の調光データに基づいて第四の調光データＺを算出し前記第四の調光データＺに基づいた輝度データＣに応じて前記発光型表示器１５の輝度を調整する制御手段３０と、を有する表示装置であって、前記第三の調光データＹを出力する手動調整手段３１を設けると共に、前記制御手段３０は、前記第二の調光データｘの前回値ｘ’を記憶するメモリ部３５を有し、前記前回値ｘ’と前記第一の調光データＸとの大小関係に基づいて、前記制御手段３０が前記照度検出手段２８から前記第一の調光データＸを入力する所定周期よりも長い所定時間Ｔ毎に前記第二の調光データｘを算出し、前記第二の調光データｘと前記第三の調光データＹとを加算した前記第四の調光データＺに基づいた前記輝度データＣに応じて前記発光型表示器１５の輝度を調整するものであり、周囲の照度が頻繁に変動しても調光データｘが頻繁に変動することがなく、発光型表示器１５のチラツキが少なく、且つ、使用者の好みにより発光型表示器１５の輝度を調整することができる。
【００２４】
本発明は、発光型表示器１５と、周囲の照度を検出し前記照度に応じて第一の調光データＸを出力する照度検出手段２８と、第一，第二及び第三の調光データに基づいて第四の調光データＺを算出し前記第四の調光データＺに基づいた輝度データＣに応じて前記発光型表示器１５の輝度を調整する制御手段３０と、を有する表示装置であって、前記第三の調光データＹを出力する手動調整手段３１を設けると共に、前記制御手段３０は、前記第二の調光データｘの前回値ｘ’を記憶するメモリ部３５を有し、前記前回値ｘ’と前記第一の調光データＸとの大小関係に基づいて前記前回値ｘ’に所定値を加算または減算することにより、前記制御手段３０が前記照度検出手段２８から前記第一の調光データＸを入力する所定周期よりも長い所定時間Ｔ毎に前記第二の調光データｘを算出し、前記第二の調光データｘと前記第三の調光データＹとを加算した前記第四の調光データＺに基づいた前記輝度データＣに応じて前記発光型表示器１５の輝度を調整するものであり、周囲の照度が頻繁に変動しても調光データｘが頻繁に変動することがなく、発光型表示器１５のチラツキが少なく、且つ、使用者の好みにより発光型表示器１５の輝度を調整することができる。
【００２５】
また、本発明は、前記制御手段は前記輝度データＣと前記輝度データＣの前回値Ｃ’との差を等分割した値毎に前記発光型表示器の輝度を増加または減少させるものであり、発光型表示器の輝度を緩やかに変動させることができる。
【図面の簡単な説明】
【図１】  本発明の実施例を示すブロック図。
【図２】  同上実施例を示す虚像の説明図。
【図３】  同上実施例を示す表示ユニットの断面図。
【図４】  同上実施例を示す第一の調光データの説明図。
【図５】  同上実施例を示す第三の調光データの説明図。
【図６】  同上実施例を示す輝度データの説明図。
【図７】  同上実施例を示すフロー図。
【図８】  従来例を示すブロック図。
【図９】  同上従来例を示す輝度データの説明図。
【図１０】  同上従来例を示すフロー図。
【符号の説明】
１５  蛍光表示管（発光型表示器）
２７  光センサ
２８  照度検出手段
３０  マイコン（制御手段）
３１  手動調整手段
Ｘ  調光データ（第一の調光データ）
ｘ  調光データ（第二の調光データ）
Ｙ  調光データ（第三の調光データ）
Ｚ  調光データ（第四の調光データ）
Ｃ  輝度データ
【図１】
0003646848.tif 000002
【図２】
0003646848.tif 000003
【図３】
0003646848.tif 000004
【図４】
0003646848.tif 000005
【図５】
0003646848.tif 000006
【図６】
0003646848.tif 000007
【図７】
0003646848.tif 000008
【図８】
0003646848.tif 000009
【図９】
0003646848.tif 000010
【図１０】
0003646848.tif 000011